(57)【要約】【課題】  一度読取った画像を何度でも繰返して調整することができ、これにより画像読取りを繰返すことなく、ユーザが望む画像を容易に得ることが可能な画像形成装置およびその制御方法を提供する。【解決手段】  原稿の画像がスキャナ３６で読取られると、その読取られた画像データがＲＡＭ２２に一時記憶される。そして、調整用データが設定されるごとに、その調整用データに応じて、ＲＡＭ２２内の画像データが調整される。調整された画像データは、コントロールパネル４の液晶表示画面４ａで表示される。表示された画像がユーザにより容認された場合には、上記調整された画像が、プリンタ３７によりプリントされる、あるいはハードディスクドライブ２５に記憶される。【選択図】      図３
2007089179.tif 000002
【特許請求の範囲】
【請求項１】
原稿の画像を読取るスキャナと、
前記スキャナで読取られた画像を一時記憶する記憶部と、
前記スキャナで読取られた画像に対する調整用データを設定するための操作部と、
前記操作部で調整用データが設定されるごとに、その調整用データに応じて、前記記憶部内の画像を調整する画像処理部と、
前記画像処理部で調整された画像を表示する表示部と、
画像出力用の出力部と、
前記表示部で表示された画像が容認された場合に、前記画像処理部で調整された画像を、前記出力部で出力する制御部と、
を備えていることを特徴とする画像形成装置。
【請求項２】
前記操作部は、コントロールパネルであることを特徴とする請求項１に記載の画像形成装置。
【請求項３】
前記表示部は、前記操作部の表示画面、およびネットワーク接続されたパーソナルコンピュータのディスプレイ、のいずれかであることを特徴とする請求項１に記載の画像形成装置。
【請求項４】
前記出力部は、画像をプリントするプリンタであることを特徴とする請求項１に記載の画像形成装置。
【請求項５】
前記出力部は、画像をプリントするプリンタ、画像をネットワーク送信するネットワークアダプタ、画像をファクシミリ送信する電話回線インターフェースのうち、少なくとも１つであることを特徴とする請求項１に記載の画像形成装置。
【請求項６】
前記調整用データを記憶するためのデータ記憶部、をさらに備えたことを特徴とする請求項１に記載の画像形成装置。
【請求項７】
前記操作部は、前記調整用データを設定するためのもの、および前記データ記憶部内の各調整用データのいずれかを選択するためのものであることを特徴とする請求項６に記載の画像形成装置。
【請求項８】
前記画像処理部は、前記操作部で調整用データが設定あるいは選択されるごとに、その調整用データに応じて、前記記憶部内の画像を調整することを特徴とする請求項７に記載の画像形成装置。
【請求項９】
前記表示部で表示された画像が容認された場合に、前記操作部で設定された調整用データを、前記データ記憶部に記憶する制御部、をさらに備えたことを特徴とする請求項７に記載の画像形成装置。
【請求項１０】
原稿の画像を読取るスキャナと、
前記スキャナで読取られた画像を一時記憶する第１記憶部と、
前記スキャナで読取られた画像に対する調整用データを設定するための操作部と、
前記操作部で調整用データが設定されるごとに、その調整用データに応じて、前記第１記憶部内の画像を調整する画像処理部と、
前記画像処理部で調整された画像を表示する表示部と、
画像出力用の出力部と、
画像記憶用の第２記憶部と、
前記表示部で表示された画像が容認された場合に、前記画像処理部で調整された画像を、前記出力部で出力あるいは前記第２記憶部に記憶する制御部と、
を備えていることを特徴とする画像形成装置。
【請求項１１】
前記操作部は、コントロールパネルであることを特徴とする請求項１０に記載の画像形成装置。
【請求項１２】
前記表示部は、前記コントロールパネルの表示画面、およびネットワーク接続されたパーソナルコンピュータのディスプレイ、のいずれかであることを特徴とする請求項１０に記載の画像形成装置。
【請求項１３】
前記出力部は、画像をプリントするプリンタであることを特徴とする請求項１０に記載の画像形成装置。
【請求項１４】
前記出力部は、画像をプリントするプリンタ、画像をネットワーク送信するネットワークアダプタ、画像をファクシミリ送信する電話回線インターフェースのうち、少なくとも１つであることを特徴とする請求項１０に記載の画像形成装置。
【請求項１５】
前記第２記憶部は、ハードディスクドライブであることを特徴とする請求項１０に記載の画像形成装置。
【請求項１６】
前記調整用データを記憶するための第３記憶部、をさらに備えていることを特徴とする請求項１０に記載の画像形成装置。
【請求項１７】
前記操作部は、前記調整用データを設定するためのもの、および前記第３記憶部内の各調整用データのいずれかを選択するためのものであることを特徴とする請求項１６に記載の画像形成装置。
【請求項１８】
前記表示部で表示された画像が容認された場合に、前記操作部で設定された調整用データを、前記第３記憶部に記憶する制御部、をさらに備えていることを特徴とする請求項１７に記載の画像形成装置。
【請求項１９】
前記画像処理部は、前記操作部で調整用データが設定あるいは選択されるごとに、その調整用データに応じて、前記第１記憶部内の画像を調整する。ことを特徴とする請求項１７に記載の画像形成装置。
【請求項２０】
原稿の画像を読取るステップと、
前記読取られた画像を一時記憶するステップと、
前記読取られた画像に対する調整用データが設定されるごとに、その調整用データに応じて、前記一時記憶している画像を調整するステップと、
前記調整された画像を表示するステップと、
前記表示された画像が容認された場合に、前記調整された画像を、出力するステップと、
を備えていることを特徴とする画像形成装置の制御方法。
【発明の詳細な説明】
【技術分野】
【０００１】
この発明は、原稿から読取られた画像に対する調整機能を備えた画像形成装置およびその制御方法に関する。
【背景技術】
【０００２】
コピー機などの画像形成装置は、原稿台にセットされた原稿の画像を光学的に読取り、その読取画像に対応する静電潜像を感光体ドラムの表面に形成し、その静電潜像を現像剤により現像（顕像化）して用紙にプリントする。
【０００３】
上記原稿からの読取画像は、ユーザが予め設定する調整用データに応じて、調整される。調整の内容として、例えば、原稿の種類（文字、写真等）に応じた調整、画質（濃度、コントラスト等）の調整、画像のレイアウト（２in1、回転等）の調整などがある。
【０００４】
調整された画像は、画像形成装置のコントロールパネルの表示画面、あるいは画像形成装置にネットワーク接続されているパーソナルコンピュータのディスプレイに、表示される（例えば特許文献１，２，３）。
【特許文献１】特開２００１―３５７３９２号公報
【特許文献２】特開平８―２８９１４３号公報
【特許文献３】特開平８―３１５１０５号公報
【発明の開示】
【発明が解決しようとする課題】
【０００５】
上記のように表示された画像をユーザが容認した場合、上記調整された画像がプリントされる。
【０００６】
表示された画像をユーザが容認しない場合、原稿の画像が再び読取られるとともに、調整用データが再設定される。再び読取られた画像は、再設定された調整用データに応じて、再調整される。
【０００７】
再調整された画像は、コントロールパネルの表示画面、あるいはパーソナルコンピュータのディスプレイに、表示される。ユーザは、表示された画像が容認できるものであれば、上記再調整された画像をプリントすることができる。
【０００８】
しかしながら、画像の読取りを何度も繰返すことは、時間がかかるとともに、ユーザにとって面倒である。
【０００９】
この発明は上記の事情を考慮したもので、その目的は、一度読取った画像を何度でも繰返して調整することができ、これにより画像読取りを繰返すことなく、ユーザが望む画像を容易に得ることが可能な画像形成装置およびその制御方法を提供することである。
【課題を解決するための手段】
【００１０】
請求項１に係る発明の画像形成装置は、原稿の画像を読取るスキャナと、このスキャナで読取られた画像を一時記憶する記憶部と、上記スキャナで読取られた画像に対する調整用データを設定するための操作部と、この操作部で調整用データが設定されるごとに、その調整用データに応じて、上記記憶部内の画像を調整する画像処理部と、この画像処理部で調整された画像を表示する表示部と、画像出力用の出力部と、上記表示部で表示された画像が容認された場合に、上記画像処理部で調整された画像を、上記出力部で出力する制御部と、を備えている。
【発明の効果】
【００１１】
この発明の画像形成装置およその制御方法によれば、一度読取った画像を何度でも繰返して調整することができ、これにより画像読取りを繰返すことなく、ユーザが望む画像を容易に得ることが可能な画像形成装置およびその制御方法を提供できる。
【発明を実施するための最良の形態】
【００１２】
以下、この発明の一実施形態について説明する。
【００１３】
図１に示すように、画像形成装置の本体１の上部に原稿台２が設けられ、その原稿台２上に自動原稿送り装置（ＡＤＦ）３が開閉自在に設けられている。原稿台２と同じ高さの位置には、操作部として、図２に示すコントロールパネル４が設けられている。コントロールパネル４は、スタートキー、ストップキー、テンキー、ファイリングキー、スキャンキー、コピーキー、ファクシミリキーなどの各種キーのほかに、表示部として液晶表示画面４ａを備えている。なお、コントロールパネル４の操作により、後述するスキャナ３６の読取画像に対する調整用データを設定できるとともに、後述する不揮発性メモリ２４内の各調整用データのいずれかを選択できる。
【００１４】
本体１の下部には、画像形成媒体である各種サイズの用紙が収容された複数のカセット５が設けられている。本体１の側部に、プリントされた用紙の排出を受ける排紙ユニット６が設けられている。
【００１５】
また、図３に示すように、本体１内に、ＣＰＵ２０が設けられている。このＣＰＵ２０に、画像データおよび調整用データの一時記憶に使用されるＲＡＭ（第１記憶部）２２、各種制御プログラムが記憶されているＲＯＭ２３、調整用データを記憶するためのデータ記憶部たとえば不揮発性メモリ（第３記憶部）２４、画像データを記憶するための大容量のハードディスクドライブ（第２記憶部）２５、画像処理部２６、パネル制御部３１、コピー制御部３２、スキャナ制御部３３、プリンタ制御部３４、ファクシミリ制御部３５、ネットワーク制御部３８、および電話回線制御部５１が接続されている。  
画像処理部２６は、コントロールパネル４で調整用データが設定あるいは選択されるごとに、その調整用データに応じて、ＲＡＭ２２内の画像データを調整する。
【００１６】
パネル制御部３１は、上記コントロールパネル４を制御する。コピー制御部３２には、上記原稿台２にセットされる原稿の画像を光学的に読取るスキャナ３６が接続されているとともに、画像処理部２６で処理された画像をプリントすプリンタ（出力部）３７が接続されている。
【００１７】
スキャナ制御部３３は、スキャナ３６を用いたスキャン機能（スキャンtoボックス機能、スキャンtoファイル機能、スキャンto E-mail機能）を制御する。プリンタ制御部３４は、プリンタ３７を用いたネットワークプリント機能を制御する。ファクシミリ制御部３５は、ネットワーク制御部３８および電話回線制御部５１によるファクシミリ送受信を制御する。
【００１８】
ネットワーク制御部３８に、画像をネットワーク送受信するためのネットワークアダプタ（出力部）３９が接続されている。そして、ネットワークアダプタ３９に、通信ネットワーク４０を介して、外部機器たとえばパーソナルコンピュータ４１，４２が接続されている。パーソナルコンピュータ４１，４２は、表示部として、ディスプレイを有している。
【００１９】
電話回線制御部５１に、画像をファクシミリ送受信するための電話回線インターフェース５２が接続されている。この電話回線インターフェース５２に、公衆電話回線５３を介して、外部のファクシミリ装置５４が接続される。
【００２０】
一方、上記ＣＰＵ２０は、次の（１）（２）の制御部を有している。
【００２１】
（１）コントロールパネル４の液晶表示画面４ａあるいはパーソナルコンピュータ４１，４２のディスプレイで表示された画像がユーザにより容認された場合に、画像処理部２６で調整された画像を、プリンタ３７、ネットワークアダプタ３９、電話回線インタフェース５２のいずれかで出力、あるいはハードディスクドライブ２５に記憶する第１制御部。
【００２２】
（２）コントロールパネル４の液晶表示画面４ａあるいはパーソナルコンピュータ４１，４２のディスプレイで表示された画像がユーザにより容認された場合に、コントロールパネル４で設定された調整用データを、不揮発性メモリ２４に記憶する第２制御部。
【００２３】
つぎに、図４のフローチャートを参照しながら、作用を説明する。
【００２４】
原稿台２に載置された原稿の画像がスキャナ３６で読取られると（ステップ１０１のＹＥＳ）、その読取られた画像データ（スキャン画像データ）がＲＡＭ２２に一時記憶される（ステップ１０２）。そして、一時記憶された画像データがコントロールパネル４の液晶表示画面４ａ（あるいはネットワーク接続されているパーソナルコンピュータ４１，４２のディスプレイ）で表示される（ステップ１０３）。
【００２５】
ユーザは、コントロールパネル４の操作により、上記読取られた画像データに対する調整用データとして、不揮発性メモリ２４に記憶されている各種調整用データの中から１つを選択する（ステップ１０４のＹＥＳ）。あるいは、ユーザは、コントロールパネル４の操作により、任意の調整用データを設定する（ステップ１０４のＮＯ）。設定された調整用データは、ＲＡＭ２２に一時記憶される（ステップ１０５）。
【００２６】
調整用データが選択あるいは設定されると、その調整用データおよびＲＡＭ２２内の画像データが、画像処理部２６に送られる。画像処理部２６に送られた画像データは、上記調整用データに応じて、調整（画像処理）される（ステップ１０６）。調整の内容として、例えば、原稿の種類（文字、写真等）に応じた調整、画質（濃度、コントラスト等）の調整、画像のレイアウト（２in1、回転等）の調整などがある。
【００２７】
調整された画像データは、コントロールパネル４の液晶表示画面４ａ（あるいはネットワーク接続されているパーソナルコンピュータ４１，４２のディスプレイ）で表示される（ステップ１０７）。
【００２８】
ユーザは、表示された画像データが容認できるか否かを判断し、容認できない場合は新たな調整用データを再選択あるいは再設定する（ステップ１０８のＮＯ）。
【００２９】
新たな調整用データが再選択あるいは再設定されると、その新たな調整用データおよびＲＡＭ２２内の画像データが、画像処理部２６に送られる。画像処理部２６に送られた画像データは、新たな調整用データに応じて、調整される（ステップ１０６）。
【００３０】
調整された画像データは、コントロールパネル４の液晶表示画面４ａ（あるいはネットワーク接続されているパーソナルコンピュータ４１，４２のディスプレイ）で表示される（ステップ１０７）。
【００３１】
ユーザは、表示された画像データが容認できるか否かを判断し、容認できない場合は新たな調整用データを再選択あるいは再設定する（ステップ１０８のＮＯ）。
【００３２】
新たな調整用データが再選択あるいは再設定されると、その新たな調整用データおよびＲＡＭ２２内の画像データが、画像処理部２６に送られる。画像処理部２６に送られた画像データは、新たな調整用データに応じて、調整される（ステップ１０６）。
【００３３】
調整された画像データは、コントロールパネル４の液晶表示画面４ａ（あるいはネットワーク接続されているパーソナルコンピュータ４１，４２のディスプレイ）で表示される（ステップ１０７）。
【００３４】
ユーザは、表示された画像データが容認できるか否かを判断し、容認できる場合はその旨をコントロールパネル４の操作により入力する（ステップ１０８のＹＥＳ）。
【００３５】
この容認に際しては、ＲＡＭ２２に一時記憶されている調整用データが不揮発性メモリ２４に記憶される（ステップ１０９）。記憶された調整用データは、次回からの調整に使用可能となる。そして、コントロールパネル４のスタートキーの操作に応じて、上記最終調整された画像データが用紙にプリントされる（ステップ１１１）。コントロールパネル４のファイリングキーが操作された場合は、上記最終調整された画像データがハードディスクドライブ２５に記憶される（ステップ１１２）。
【００３６】
以上のように、スキャナ３６で読取られた画像データがＲＡＭ２２に一時記憶されるので、一度読取った画像データを何度でも繰返して調整することができる。したがって、スキャナ３６による画像読取りを繰返すことなく、ユーザが望む画像データを容易に得ることができる。
【００３７】
なお、上記各実施形態では、調整後の画像データを出力する例としてプリントのみ説明したが、調整後の画像データを外部のパーソナルコンピュータ４１，４２にネットワーク送信することも可能である。調整後の画像データをファクシミリ装置５４にファクシミリ送信することも可能である。
【００３８】
その他、この発明は上記実施形態に限定されるものではなく、要旨を変えない範囲で種々変形実施可能である。
【図面の簡単な説明】
【００３９】
【図１】一実施形態の外観を示す図。
【図２】一実施形態のコントロールパネルを示す図。
【図３】一実施形態の制御回路のブロック図。
【図４】一実施形態の作用を説明するためのフローチャート。
【符号の説明】
【００４０】
１…本体、２…原稿台、４…コントロールパネル、４ａ…液晶表示画面、２０…ＣＰＵ、２２…ＲＡＭ（第１記憶部）、２３…ＲＯＭ、２４…不揮発性メモリ（第３記憶部）、２５…大容量のハードディスクドライブ（第２記憶部）、２６…画像処理部、３１…パネル制御部、３２…コピー制御部、３３…スキャナ制御部、３４…プリンタ制御部、３５…ファクシミリ制御部、３７…プリンタ（出力部）、３８…ネットワーク制御部、３９…ネットワークアダプタ、４０…通信ネットワーク、４１，４２…パーソナルコンピュータ（外部機器）
【図１】
2007089179.tif 000003
【図２】
2007089179.tif 000004
【図３】
2007089179.tif 000005
【図４】
2007089179.tif 000006